(57)【特許請求の範囲】
【請求項１】
表面に返信宛先情報が記載され、裏面に往信差出元情報が記載され、開口部にフラップが設けられた封筒と、
貼り付けおよび剥離を複数回繰り返し可能な再剥離粘着剤を塗布した再剥離性のラベルとからなり、
前記ラベルは、往信宛先情報を記載する宛先ラベル片と、往信の支払方法表記用ラベル片と、封筒の開口部を封止する封止用ラベル片とがミシン目を介してこの順に直列に連結された連結ラベルであり、
封止用ラベル片はフラップよりも大きく、宛先ラベル片と支払方法表記用ラベル片を合わせた面積は封筒表面に記載された返信宛先情報と料金支払方法の表記範囲よりも大きく、
該ラベルのうち宛先ラベル片と支払方法表記用ラベル片とを封筒の表面に貼り付けて返信宛先情報および料金支払方法の表記を隠蔽可能であり、
封止用ラベル片と支払方法表記用ラベル片との間のミシン目をフラップの折り線に合わせ、封止用ラベル片とフラップとを一体に折り返すことで、再剥離粘着剤によりフラップと封筒の裏面を封止できるとともに、前記宛先ラベル片と支払方法表記用ラベル片を封筒から剥離した後もフラップの開封、封止を繰り返し可能であることを特徴とするラベル付き往復封筒。
【請求項２】
表面に返信宛先情報が記載され、裏面に往信差出元情報が記載され、開口部にフラップが設けられた封筒と、
貼り付けおよび剥離を複数回繰り返し可能な再剥離粘着剤を塗布した再剥離性のラベルとからなるラベル付き往復封筒の使用方法であって、
前記ラベルは、往信宛先情報を記載する宛先ラベル片と、往信の支払方法表記用ラベル片と、封筒の開口部を封止する封止用ラベル片とがミシン目を介してこの順に直列に連結された連結ラベルであり、
前記ラベルのうち封止用ラベル片と支払方法表記用ラベル片との間のミシン目をフラップの折り線に合わせ、宛先ラベル片および支払方法表記用ラベル片を封筒の表面に貼り付けて返信宛先情報を隠蔽する作業と、
封止用ラベル片をフラップの折り線でフラップごと折り返して封筒裏面に貼り付け、封筒を封止する作業と、
支払方法表記用ラベル片に料金支払い済みであることを表示する作業と、
往信として封筒を受け取った後、封止用ラベル片を剥がして封筒を開封する作業と、
封筒表面から宛先ラベル片を剥離し、返信宛先情報を露出させる作業と、
支払方法表記用ラベル片を剥離する作業と、
封筒表面から剥離した宛先ラベル片を封筒裏面に貼り付けて往信差出元情報を隠蔽するとともに、裏面に貼り付けた往信の宛先ラベル片を返信の差出元情報として再利用する作業と、
封止用ラベル片をフラップごとフラップの折り線で折り曲げて封筒を封止し、封筒を返信用封筒として再利用する作業と、
を含むことを特徴とするラベル付き往復封筒の使用方法。
【発明の詳細な説明】
【技術分野】
【０００１】
本発明は、書類や親書を入れて運送するための封筒に関し、特に、１枚で往信、返信の両方に兼用可能なラベル付き往復封筒およびその使用方法に関する。
【背景技術】
【０００２】
例えば取引先に書類を送り、受領書を返送してもらうことがある。このような場合は、返送先の住所等を印刷した返信用封筒を往信の封筒に同封しておき、取引先ではその返信用封筒に受領書を詰めて返送する。また、消費者にダイレクトメールを送り、宣伝広告のチラシと一緒に注文書を送り、注文書の返送用に封筒を同封して消費者の便宜を図ることもある。返送用の封筒には送り先の会社名を印刷し、多くの場合は料金受取人払い郵便にしてある。
【０００３】
上記の通信では一取引先或いは一消費者に対して往信用封筒と返信用封筒と２枚の封筒が必要である。また、返信用封筒を購入する費用が発生し、返信用封筒の同封に伴う重量増加により郵送料が増加することもある。さらに、返信用封筒に差出人の住所などを記入する手間が必要であった。
【０００４】
特開平１０−２７３１５１号公報に、発送側では裏面に複数回剥離しても再使用可能な接着層を設け、表面に受取人の住所、氏名を表示した宛名シールを発信用葉書部に貼着して返信用葉書部と共に発送し、受取側では宛名シールを剥して返信用葉書部に貼着して返送するようにした郵便による往復通信方法が開示されている。この方法によれば、発送及び返送に共通した宛名シールが用いられるため、迅速な応答ができ、更に発送或は管理コストの低減を図ることができる。
【先行技術文献】
【特許文献】
【０００５】
【特許文献１】特開平１０−２７３１５１号公報
【発明の概要】
【発明が解決しようとする課題】
【０００６】
本発明は上記の課題を解決するためなされたもので、一枚で往信用封筒と返信用封筒を兼用できる往復封筒と、その使用方法を提供することを目的とする。
【課題を解決するための手段】
【０００７】
本発明は上記課題を解決すべく、以下に掲げる構成とした。
【０００８】
請求項１に記載の発明は、表面に返信宛先情報が記載され、裏面に往信差出元情報が記載され、開口部にフラップが設けられた封筒と、貼り付けおよび剥離を複数回繰り返し可能な再剥離粘着剤を塗布した再剥離性のラベルとからなり、前記ラベルは、往信宛先情報を記載する宛先ラベル片と、往信の支払方法表記用ラベル片と、封筒の開口部を封止する封止用ラベル片とがミシン目を介してこの順に直列に連結された連結ラベルであり、封止用ラベル片はフラップよりも大きく、宛先ラベル片と支払方法表記用ラベル片を合わせた面積は封筒表面に記載された返信宛先情報と料金支払方法の表記範囲よりも大きく、該ラベルのうち宛先ラベル片と支払方法表記用ラベル片とを封筒の表面に貼り付けて返信宛先情報および料金支払方法の表記を隠蔽可能であり、封止用ラベル片と支払方法表記用ラベル片との間のミシン目をフラップの折り線に合わせ、封止用ラベル片とフラップとを一体に折り返すことで、再剥離粘着剤によりフラップと封筒の裏面を封止できるとともに、前記宛先ラベル片と支払方法表記用ラベル片を封筒から剥離した後もフラップの開封、封止を繰り返し可能であることを特徴とするラベル付き往復封筒である。
請求項２に記載の発明は、表面に返信宛先情報が記載され、裏面に往信差出元情報が記載され、開口部にフラップが設けられた封筒と、貼り付けおよび剥離を複数回繰り返し可能な再剥離粘着剤を塗布した再剥離性のラベルとからなるラベル付き往復封筒の使用方法であって、前記ラベルは、往信宛先情報を記載する宛先ラベル片と、往信の支払方法表記用ラベル片と、封筒の開口部を封止する封止用ラベル片とがミシン目を介してこの順に直列に連結された連結ラベルであり、
前記ラベルのうち封止用ラベル片と支払方法表記用ラベル片との間のミシン目をフラップの折り線に合わせ、宛先ラベル片および支払方法表記用ラベル片を封筒の表面に貼り付けて返信宛先情報を隠蔽する作業と、封止用ラベル片をフラップの折り線でフラップごと折り返して封筒裏面に貼り付け、封筒を封止する作業と、支払方法表記用ラベル片に料金支払い済みであることを表示する作業と、往信として封筒を受け取った後、封止用ラベル片を剥がして封筒を開封する作業と、封筒表面から宛先ラベル片を剥離し、返信宛先情報を露出させる作業と、支払方法表記用ラベル片を剥離する作業と、封筒表面から剥離した宛先ラベル片を封筒裏面に貼り付けて往信差出元情報を隠蔽するとともに、裏面に貼り付けた往信の宛先ラベル片を返信の差出元情報として再利用する作業と、封止用ラベル片をフラップごとフラップの折り線で折り曲げて封筒を封止し、封筒を返信用封筒として再利用する作業と、を含むことを特徴とするラベル付き往復封筒の使用方法である。
【発明の効果】
【０００９】
本発明のラベル付き往復封筒およびラベル付き往復封筒の使用方法によれば、往信に用いた封筒を返信用封筒として再利用することができる。往信の際、別途に返信用の封筒を用意する必要も、往信の封筒に返信用封筒を同封する必要もない。そのため、返信用封筒の費用が不要になるとともに、返信用封筒の同封に伴う封書全体の重量増による送料の負担増が回避される。また、返信用封筒が必要なくなることで、封筒を構成する紙が不要になるため、紙の原料となるパルプや木材の消費が抑えられ、森林資源の保護に貢献する。
【図面の簡単な説明】
【００１０】
【図１】本発明に係る封筒と宛名ラベルの構成を示す平面図。
【図２】本発明に係る封筒の平面図であり、宛先のラベルを貼った状態を示す説明図である。
【図３】本発明に係る封筒の平面図であり、往信として封をした状態を示す説明図である。
【図４】本発明に係る封筒の平面図であり、往信先における使用方法を説明する説明図である。
【図５】本発明に係る封筒の平面図であり、返信差出元情報のラベルを貼った状態を示す説明図である。
【図６】本発明に係る封筒の平面図であり、返信として封をした状態を示す説明図である。
【図７】本発明に係る封筒の別な実施形態を説明するための封筒の平面図である。
【発明を実施するための形態】
【００１１】
以下、本発明の実施の形態について詳細に説明する。図１に本発明のラベル付き往復封筒１０を示す。図１（ａ）は封筒１１の表面１２の平面図と、封筒１１の表面１２に貼るラベル２１の平面図である。図１（ｂ）は封筒１１の裏面１３を表す平面図である。封筒１１はラベル２１と組み合わせて書類や親書等の往信と返信に使用するものである。
【００１２】
封筒１１は一辺が開口した矩形状であり、開口部には表面１２側と連続したフラップ１４が設けられている。フラップ１４は開口部の折り線１５で裏面１３側に折り返し、封筒１１を閉じる構成である。表面１２のフラップ１４寄りには返信宛先情報１７が印刷されている。また、折り線１５と返信宛先情報１７の間には返信の料金支払い方法の表記１８が印刷されている。例えば、料金受取人払等の表示である。裏面１３には往信差出元情報１９が記載されている。
【００１３】
封筒１１と組み合わせて使用するラベル２１は、往信用の宛先ラベル片２２と、往信の支払方法表記用ラベル片２３と、封止用ラベル片２４とがこの順に繋がった連結ラベルである。宛先ラベル片２２と、支払方法表記用ラベル片２３の境界には切り離し用のミシン目２７が形成され、支払方法表記用ラベル片２３と封止用ラベル片２４との間には折りと切り離し兼用のミシン目２８が形成されている。ラベル２１の短辺（ほぼミシン目２７・２８の長さに相当）は、封筒１１の開口部１５の幅以下にしてある。
【００１４】
宛先ラベル片２２には往信宛先情報３１が記載されている。支払方法表記用ラベル片２３は、料金を支払ったことを示す欄である。例えば郵便の場合は、切手を貼る、料金後納郵便の印を印刷する他、料金別納郵便のスタンプを押したり、シールを貼るためのスペースで、切手等貼り付け予定欄２５となる。封止用ラベル片２４は折り線１５でフラップ１４とともに裏面１３側に折り返し、フラップ１４を裏面１３に貼り付けて封止するための物である。より具体的には封止用ラベル片２４のフラップ１４から飛び出した部分の粘着剤が封筒１１の裏面１３に貼付く。なお、ラベル２１を封筒１１に貼る際は、ミシン目２８を折り線１５に合わせておく。
【００１５】
宛先ラベル片２２と支払方法表記用ラベル片２３を合わせた面積は、封筒１１表面の返信宛先情報１７と料金支払い方法の表記１８を合わせた範囲よりも大きく、封筒１１に貼り付けた際にはそれらを完全に覆って隠蔽可能になっている。封止用ラベル片２４はフラップ１４よりも大きく、フラップ１４に重ねて貼るとその先端方向へ突き出る大きさである。封止用ラベル片２４はフラップ１４のほぼ全面を覆うように貼り付け、フラップ１４と一体に折り線１５で折り返し、封筒１１の裏面１３に貼り付けて使用する。
【００１６】
ラベル２１に塗工された粘着剤は、貼り付けと剥離とを複数回繰り返すことができる再剥離型の粘着剤である。各ラベル片２２・２３・２４は全て再剥離ラベルである。
【００１７】
次に、本発明のラベル付き往復封筒の使用方法を図２〜図６を用いて説明する。図２はラベル２１を封筒１１の表面１２に貼り付けた状態の平面図で、図２（ａ）は表面１２、図２（ｂ）は裏面１３を示す。
【００１８】
ラベル２１の支払方法表記用ラベル片２３と封止用ラベル片２４との間の切り離し用ミシン目２８を、フラップ１４の折り線１５に合わせて封筒１１に貼付ける。すると、封筒１１表面の返信宛先情報１７と料金支払い方法の表記１８（図１参照）は、宛先ラベル片２２と支払方法表記用ラベル片２３が貼り付けられたことにより隠蔽され、封筒１１の表面１２には往信宛先情報３１が表示される。支払方法表記用ラベル片２３の表面は切手や料金別納スタンプのシール等を貼るための切手等支払い予定欄になる。
【００１９】
図２（ｂ）に示すように、封止用ラベル片２４はフラップ１４よりも大きいために、フラップ１４の先からはみ出している。封筒１１に書類等を入れた後、封止用ラベル片２４とフラップ１４をミシン目２８、即ち折り線１５で折り返し、封止用ラベル片２４の粘着剤面を封筒１１の裏面１３に貼り付けることによりフラップ１４を封筒１１に固定する。封筒１１は図３（ａ）、図３（ｂ）のように封止用ラベル片２４によって封止される。郵便で発送する場合は支払方法表記用ラベル片２３の切手等貼り付け予定欄２５に所定金額の切手２６を貼る。封筒１１はこの状態で往信として投函される。このとき、返信用の封筒を同封する必要がないために、封筒の原料であるパルプ、さらには森林資源の消費が削減される。費用の面では返信用封筒の費用が不要になる他、往信の郵便物の重量に返信用封筒の重量が加算されないため、運賃も抑えられるという効果が生じる。。
【００２０】
送り先に届けられた封筒１１は、図４（ｂ）に示すように封止用ラベル片２４が剥がされる。すると封止用ラベル片２４と一体化したフラップ１４が開いて封筒１１が開封される。ここで、フラップ１４自体は封筒１１の裏面１３とは接着されていないため、フラップ１４や封筒１１が破れて損傷することはない。損傷のない封筒１１は再利用可能な状態を保っている。
【００２１】
返信用封筒として使用する場合は、図４（ａ）のように切り離し用ミシン目２７で宛先ラベル片２２を切り離しながら剥がす。切手２６が貼られた支払方法表記用ラベル片２３も、切り離し用ミシン目２８で切り離しながら封筒１１から剥離する。すると、封筒１１の表面１２には、図５（ａ）に示すように返信先の住所や会社名が記載された返信宛先情報１７と、返信の料金支払い方法の表記１８である料金受取人払の表示が現れる。なお、ここでは宛先ラベル片２２と支払方法表記用ラベル片２３を別々に剥す様子を説明したが、一緒に剥がした後に２片に切り離しても良い。
【００２２】
剥がした宛先ラベル片２２は、図５（ｂ）に示すように封筒１１の裏面１３に貼り、返信の差出人情報を記載したラベルとして再利用する。貼り付け位置は往信差出元情報１９に重ね、それを隠蔽する。返信の差出人情報を記載する手間が省けて便利である。このとき、宛先ラベル片２２として用いられた際のなごりとして氏名に敬称が付いているため、二重線で消しておく。剥がした往信用の支払方法表記用ラベル片２３は、表面の切手２６に消印がなされているなど、再利用できないために廃棄する。
【００２３】
返送する書類等を入れた後、図６に示すようにフラップ１４と封止用ラベル片２４を折り返し、封止用ラベル片２４を封筒１１の裏面１３に貼付ける。封筒１１は再び封止されて、今度は返信用封筒として投函され、有効に再利用される。
【００２４】
このように本発明のラベル付き往復封筒およびその使用方法によれば、一枚の封筒を往信と返信に利用できる。そのため、返信用封筒の費用が不要になるとともに、返信用封筒の同封に伴う封書全体の重量増による送料の負担増が回避される。返送に用いる際は、往信の宛先ラベル片２２を剥がして裏面１３に貼れば返信の差出元情報として再利用でき便利である。また、返信用封筒が必要なくなることで、封筒を構成する紙が不要になるため、紙の原料となるパルプや木材の消費が抑えられ、森林資源の保護にも寄与する。さらには、封筒１枚分だけ廃棄物が少なくなり、廃棄物の削減にも貢献する。
【００２５】
図７は本発明のラベル付き往復封筒の使用方法の別な実施形態である。図７（ａ）・（ｂ）では、封止用ラベル片２４をも剥がし取った例である。返信の際には封止用ラベル片２４を用いず、フラップ１４に糊付けして折り返し、封筒１１の裏面に貼り付けている。返信の際に封止用ラベル片２４を用いるか否かは任意である。
【００２６】
なお、本発明が前述した実施の形態に限定されず、本発明の技術思想の範囲内において、各実施の形態は適宜変更され得ることは明らかである。また、上記構成部材の数、位置、形状、配置等は上記実施の形態に限定されず、本発明を実施する上で好適な数、位置、形状等にすることができる。
【００２７】
ラベル２１の種類や材質は、紙や合成樹脂フィルムなど特に限定されるものではなく、粘着紙として一般的に用いられているものが使用できる。例えば、上質紙、コート紙、アート紙のような紙基材、ＰＥＴ（ポリエチレンテレフタレート）、ＰＥ（ポリエチレン）、ＰＰ（ポリプロピレン）、ＰＳ（ポリスチレン）を素材とした合成樹脂フィルムや、前記の合成樹脂を複数種組み合わせたシート、合成樹脂フィルムと紙とを合わせた複合シートも使用できる。感熱紙（サーマル紙）でも構わない。
【００２８】
ラベル２１に用いる粘着剤に使用する粘着剤は、例えば、エマルジョン系（粘着剤を水に分散したもの）、ソルベント系（粘着剤を溶剤に溶解したもの）、ホットメルト系（熱可塑性を利用したもの）等である。材質としては、合成ゴム系や天然ゴム系、アクリル樹脂系、ポリビニルエーテル樹脂系、ウレタン樹脂系、シリコーン樹脂系等の粘着剤があげられる。粘着力は貼り付けと剥離とを複数回繰り返すことができる再剥離型或いは弱粘程度であることが望ましい。
【００２９】
封筒１１の種類や材質は、紙や合成樹脂フィルムなど特に限定されるものではなく、汎用の封筒として一般的に用いられているものが使用できる。例えば、上質紙、コート紙、アート紙、クラフト紙のような紙基材、耐久性を重視し、ＰＥＴ（ポリエチレンテレフタレート）、ＰＥ（ポリエチレン）、ＰＰ（ポリプロピレン）、ＰＳ（ポリスチレン）を素材とした合成樹脂フィルムや、前記の合成樹脂を複数種組み合わせたシート、合成樹脂フィルムと紙とを合わせた複合シートも使用できる。
【００３０】
封筒の形状について、先に説明した実施形態では長形・角形で、中貼の封筒を例に挙げたが、封筒の形状は長形・角形の他、洋形でも良い。封筒の貼り方は、例えば、中貼、左横貼り、右横逆貼、内カマス貼、外カマス貼、ダイヤ貼など任意である。
【符号の説明】
【００３１】
１０  ラベル付き往復封筒
１１  封筒
１２  封筒表面
１３  封筒裏面
１４  フラップ
１５  折り線
１７  返信宛先情報
１８  料金支払い方法の表記
１９  往信差出元情報
２１  ラベル
２２  宛先ラベル片
２３  支払方法表記用ラベル片
２４  封止用ラベル片
２５  切手等貼り付け予定欄
２６  切手
２７  ミシン目
２８  ミシン目
３１  往信宛先情報
【図１】
0005583430.tif 000002
【図２】
0005583430.tif 000003
【図３】
0005583430.tif 000004
【図４】
0005583430.tif 000005
【図５】
0005583430.tif 000006
【図６】
0005583430.tif 000007
【図７】
0005583430.tif 000008